(57)【要約】【課題】読取対象を正しく文字認識できるか否かを検出することができる。【解決手段】画像読取装置１は、特定色のドロップアウトを用いて複写帳票の内の読取対象頁の画像を読み取る画像読取装置１であって、前記複写帳票の読取対象頁であることを識別する特定形状、及び特定位置を示す読取対象頁識別画像データを格納する記憶部３０と、前記特定色以外の色のマット部に載置された前記複写帳票の画像を画像データとして前記記憶部に格納する画像入力処理部４２と、前記画像データと前記読取対象頁識別画像データとを対比して、前記特定形状の画像を当該画像データから検出するマーク検出部４４と、前記特定形状の画像が検出されなかった場合、又は前記特定形状の画像の色が前記マット部の色でなかった場合に、前記複写帳票の内の読取対象頁以外の頁が取り去られていない状態であると判定する複写有無判定部４５と、を備えることを特徴とする。【選択図】図１
2014038486.tif 000002
【特許請求の範囲】
【請求項１】
特定色のドロップアウトを用いて複写帳票の内の読取対象頁の画像を読み取る画像読取装置であって、
前記複写帳票の読取対象頁であることを識別する特定形状、及び特定位置を示す読取対象頁識別画像データを格納する記憶部と、
前記特定色以外の色のマット部に載置された前記複写帳票の画像を画像データとして前記記憶部に格納する画像入力処理部と、
前記画像データと前記読取対象頁識別画像データとを対比して、前記特定形状の画像を当該画像データから検出するマーク検出部と、
前記特定形状の画像が検出されなかった場合、又は前記特定形状の画像の色が前記マット部の色でなかった場合に、前記複写帳票の内の読取対象頁以外の頁が取り去られていない状態であると判定する複写有無判定部と、を備える、
ことを特徴とする画像読取装置。
【請求項２】
出力部をさらに備え、
前記複写有無判定部は、前記複写帳票の内の読取対象頁以外の頁が取り去られていない状態であると判定した場合に、前記複写帳票の内の読取対象頁以外の頁を除去した状態で、前記読取対象頁の画像の再読取の実行を促す指示を、前記出力部を介して出力する、
ことを特徴とする請求項１に記載された画像読取装置。
【請求項３】
マット部に載置された媒体の画像を、前記マット部の色以外の特定色のドロップアウトを用いて読み取る画像読取装置に用いる画像読取方法であって、
前記画像読取装置は、
複写帳票の読取対象頁であることを識別する特定形状、及び特定位置を示す読取対象頁識別画像データを予め格納する記憶部を備え、
前記媒体の画像を撮像素子に読み取らせ、該撮像素子から入力した画像データを前記記憶部に格納し、
前記画像データと前記読取対象頁識別画像データとを対比して、前記特定形状の画像を当該画像データから検出し、
前記特定形状の画像が検出されなかった場合、又は前記特定形状の画像の色が前記マット部の色でなかった場合に、前記複写帳票の内の読取対象頁以外の頁を除去した状態で、前記読取対象頁の画像の再読取の実行を促す指示を、出力部を介して出力する、
ことを特徴とする画像読取方法。
【請求項４】
請求項３に記載の画像読取方法をコンピュータに実行させることを特徴とする画像読取プログラム。
【発明の詳細な説明】
【技術分野】
【０００１】
本発明は、画像(文字を含む)を読み取る、画像読取装置、画像読取方法、及び画像読取プログラムに関し、特に、ドロップアウトカラーで読取対象外の罫線や文字が印刷された複写帳票の画像をスタンド型スキャナで読み取る技術に関する。
【背景技術】
【０００２】
金融機関や公共機関などの窓口業務では、効率化、省力化のため、帳票類や資料をイメージ(画像データ)として入力し、入力したイメージ(画像データ)内の文字認識を行い、種々のデータ処理やデータ保管するといったイメージワークフロー処理への期待が高まっている。
【０００３】
イメージワークフロー処理に使用するスキャナとして、例えば、原稿台に載置された媒体(帳票等)に光を照射して、その散乱光を結像手段により結像し、結像されたイメージに対して読取ユニットを所定の高さに保持して原稿のイメージ(画像データ)を読み取るスタンド型の非接触イメージスキャナ装置が提案されている（特許文献１参照）。
【０００４】
また、撮像対象(読取対象)となる帳票等が正しくセットされているか否かをチェックするのに用いることが可能な技術として、例えば、複数の単位帳票を所定の順序で重ね合わせ、識別マークと位置ずれ検出マークとを撮像し、撮像画像から丁合異常を検出する技術（特許文献２参照）や、画像入力装置により入力された入力画像のパンチ穴または切欠の位置から原稿の天地方向(上下方向)を検出する技術（特許文献３参照）があった。
【先行技術文献】
【特許文献】
【０００５】
【特許文献１】特開２００１−１８６３０４号公報（図４等）
【特許文献２】特開２０１１−９８４７６号公報（段落００２８〜段落００３４）
【特許文献３】特開２００４−２８０６５４号公報（段落００８８〜段落０１０８）
【発明の概要】
【発明が解決しようとする課題】
【０００６】
しかしながら、特許文献１ないし３に記載される技術では、スキャナでドロップアウトカラーをドロップアウトして文字認識を行う場合に、正しく文字認識できるか否かまで検出することができない。
【０００７】
すなわち、従来の画像読取方法では、ドロップアウトカラーで印刷された帳票に対して、ドロップアウトカラーをドロップアウトして文字認識を行っていたが、この方法では、撮像対象(読取対象)の帳票が複写紙付きであった場合(複写帳票であった場合)、複写紙の罫線や文字が原紙(１枚目)に浮き出てしまい、原紙にドロップアウトカラーで印刷された罫線や文字の見た目の色が本来のドロップアウトカラーとは異なる色になってしまう。例えば、ドロップアウトカラーには一般に赤系、青系、緑系の色があるが、いずれの色であっても明度が下がるとドロップアウトしづらくなる。複写帳票が付いている場合、ドロップアウトカラーの印刷部分の下にドロップアウトカラーでない文字や罫線の印刷があると、その部分の明度が下がりやすい。複写帳票の場合、ＯＣＲによる文字認識を行う対象は１枚目のみで、２枚目以降は同様なレイアウトでドロップアウトカラーでない暗色を使用することが多く、複写帳票を付けたままだとドロップアウトカラーで印刷した罫線や文字枠が、複写帳票の罫線や文字枠により明度が下がってしまう。仮に２枚目以降にも明度の高い色を使ったとしても、ドロップアウトカラーと異なる色成分が重なれば、明度を下げる方向に作用する。そのため、複写帳票の場合は原紙１枚の場合と異なり、ドロップアウトカラーをドロップアウトできず、その後の文字認識で誤読や読取不能が発生するという問題があった。
【０００８】
本発明は、前記問題に鑑みてなされたものであり、読取対象を正しく文字認識できるか否かを検出することができる、画像読取装置、画像読取方法、及び画像読取プログラムを提供することを課題とする。
【課題を解決するための手段】
【０００９】
前記課題を解決するため、本発明に係る画像読取装置は、特定色のドロップアウトを用いて複写帳票の内の読取対象頁の画像を読み取る画像読取装置（１）であって、前記複写帳票の読取対象頁であることを識別する特定形状、及び特定位置を示す読取対象頁識別画像データを格納する記憶部（３０（３２））と、前記特定色以外の色のマット部に載置された前記複写帳票の画像を画像データとして前記記憶部に格納する画像入力処理部（４２）と、前記画像データと前記読取対象頁識別画像データとを対比して、前記特定形状の画像を当該画像データから検出するマーク検出部（４４）と、前記特定形状の画像が検出されなかった場合、又は前記特定形状の画像の色が前記マット部の色でなかった場合に、前記複写帳票の内の読取対象頁以外の頁が取り去られていない状態であると判定する複写有無判定部（４５）と、を備えることを特徴とする。なお、括弧内の符号は例示である。
【００１０】
また、本発明に係る画像読取方法は、マット部に載置された媒体の画像を、前記マット部の色以外の特定色のドロップアウトを用いて読み取る画像読取装置（１）に用いる画像読取方法であって、前記画像読取装置は、複写帳票の読取対象頁であることを識別する特定形状、及び特定位置を示す読取対象頁識別画像データを予め格納する記憶部（３０（３２））を備え、前記媒体の画像を撮像素子に読み取らせ、該撮像素子から入力した画像データを前記記憶部に格納し、前記画像データと前記読取対象頁識別画像データとを対比して、前記特定形状の画像を当該画像データから検出し、前記特定形状の画像が検出されなかった場合、又は前記特定形状の画像の色が前記マット部の色でなかった場合に、前記複写帳票の内の読取対象頁以外の頁を除去した状態で、前記読取対象頁の画像の再読取の実行を促す指示を、出力部を介して出力する、ことを特徴とする。なお、括弧内の符号は例示である。
【００１１】
また、本発明に係る画像読取プログラムは、上記の画像読取方法をコンピュータに実行させることを特徴とする。
【発明の効果】
【００１２】
本発明によれば、読取対象を正しく文字認識できるか否かを検出することができる。
【図面の簡単な説明】
【００１３】
【図１】実施形態に係る画像読取装置のブロック図である。
【図２】実施形態に係るスキャナの概略断面図である。
【図３】実施形態に係る画像読取装置の画像読取動作を示すシーケンス図である。
【図４】実施形態に係る画像読取装置で用いられる複写帳票を説明するための図であり、（ａ）は１枚目(原紙)の平面図、（ｂ）は２枚目(複写紙)の平面図、（ｃ）は１枚目(原紙)と２枚目(複写紙)とが重ねられた状態である複写帳票の平面図である。
【図５】実施形態に係る画像読取装置が格納するドロップアウト処理後の画像データを説明するための図であり、（ａ）は原紙Ｔ１を読み取った場合の画像データであり、（ｂ）は間違って複写帳票Ｔ３を読み取った場合の画像データである。
【図６】実施形態に係る画像読取装置が読取対象頁であることを識別する特定形状の画像を検出することが可能であるか否かを説明するための図であり、（ａ）は原紙Ｔ１を読み取った場合の画像データであり、（ｂ）は間違って複写帳票Ｔ３を読み取った場合の画像データである。
【発明を実施するための形態】
【００１４】
以下、図面を参照して、本発明の実施の形態につき詳細に説明する。
なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１５】
［実施形態］
≪実施形態に係る画像読取装置の概要≫
ドロップアウトカラーで印刷された複写帳票を読み取る場合、画像読取装置は、複写帳票の中から文字認識対象となる文字が最も明瞭な頁を選択して読み取るようにすればよい。例えば、一般的には複写帳票の２枚目以降(複写紙)では文字が掠れることがあるため、複写帳票の１枚目(原紙)を読取対象として複写紙が除去された状態で原紙を読み取り、ドロップアウトカラーをドロップアウトし、ドロップアウトした画像データから文字認識を行うようにすればよい。これにより、複写紙の影響による誤読や読取不能等が発生することなく複写帳票の画像読取を行うことができる。なお複写紙の除去は、顧客から帳票を受領したオペレータが読み取りの前に行うものとする。
【００１６】
実施形態に係る画像読取装置は、原紙に複写紙が添付されているか否か(複写紙が除去されているか否か)を判定し、原紙に複写紙が添付された状態(複写紙が除去されていない状態)で画像読取動作を実行した場合に、その後の文字認識処理で誤読や読取不能が発生する可能性があるので、複写紙を除去して画像読取動作を再度実行することをオペレータに通知する。
【００１７】
ここで、原紙に複写紙が添付されているか否か(複写紙が除去されているか否か)の判定は、複写帳票の１枚目(原紙)の特定位置に特定形状(例えば、円形や多角形)の孔を開けておき、画像読取装置が、読み取った画像データから孔の有無を判定することにより行う。すなわち、原紙に複写紙が添付されていない状態の画像データには、特定位置に背景色でできた特定形状の画像があり、原紙に複写紙が添付されている状態の画像データには、この画像がないので、画像読取装置は、読み取った画像データの特定位置に、背景色でできた特定形状の画像があるか否かにより原紙に複写紙が添付されているか否かの判定を行う。詳細は、以下で説明する。
【００１８】
≪実施形態に係る画像読取装置の構成≫
図１及び図２を参照して、実施形態に係る画像読取装置１の構成を説明する。図１は、実施形態に係る画像読取装置１のブロック図である。図２は、実施形態に係るスキャナ１０の概略縦断面図である。
画像読取装置１は、スキャナ１０、及びＰＣ(Personal Computer)２０を備えて構成される。以下では、それぞれの装置について説明する。
【００１９】
＜スキャナ＞
スキャナ１０は、マット部１１、カメラ部１２、及び通信部１３を備えて構成される。
マット部１１は、板状で、黒色のマットであり、媒体としての帳票等が上部に載置される(図２参照)。なお、一般的な画像読取処理では、媒体としての帳票等と背景とを区別するために、背景が黒の画像が扱いやすいので、本実施形態においてもマット部１１の色を黒色としているが、これに限定されるものではない。
【００２０】
カメラ部１２は、レンズ１２ａ、及びＣＣＤ(Charge Coupled Device)１２ｂを備えて構成される。カメラ部１２は、レンズ１２ａがマット部１０に載置された帳票により反射した光をＣＣＤ１２ｂに導き、ＣＣＤ１２ｂがレンズ１２ａにより導かれた光を電気信号(ＲＧＢデータである画像データ)に変換する。なお、カメラ部１２は、画像データから特定色をドロップアウトできる構成でもよい。
また、カメラ部１２は、支持部１２ｃによりマット部１１ａから一定距離離間した位置で支持されている。これにより、本実施形態に係るスキャン１０は、スタンド型の非接触スキャナ装置の形態をなす。
【００２１】
通信部１３は、ＰＣ２０との間のデータ通信を実現させるための通信インタフェースであり、例えば、ＵＳＢ(Universal Serial Bus)がこれに相当する。
【００２２】
＜ＰＣ＞
ＰＣ２０は、入力部２１、表示部２２、通信部２３、記憶部３０、及び制御部４０を備えて構成される。
入力部２１は、オペレータからの入力を受け付ける装置であり、例えば、キーボード、マウス等がこれに相当する。
表示部２２は、オペレータに対して種々の情報を表示する装置であり、例えば、ＬＣＤ(Liquid Crystal Display)がこれに相当する。
通信部２３は、スキャナ１０との間のデータ通信を実現させるための通信インタフェースであり、例えば、ＵＳＢ(Universal Serial Bus)がこれに相当する。
【００２３】
記憶部３０は、入力画像メモリ３１、及び読取対象頁識別画像データ記憶部３２の記憶媒体を備え、これらの記憶媒体は、ＲＡＭ(Random Access Memory)、ＲＯＭ(Read Only Memory)、ＨＤＤ(Hard Disk Drive)、フラッシュメモリ等が相当する。
【００２４】
入力画像メモリ３１には、カメラ部１２で読み取った画像データ(ＲＧＢデータ)が格納される。
読取対象頁識別画像データ記憶部３２には、読取対象頁であることを識別する特定形状(例えば、円形や多角形)、及び特定形状の位置(例えば、右上隅部分)を示す読取対象頁識別画像データが格納される。
【００２５】
制御部４０は、主制御部４１、画像入力処理部４２、ドロップアウト処理部４３、マーク検出部４４、複写有無判定部４５、及び文字認識部４６を備え、これらの構成要素は、ＣＰＵ(Central Processing Unit)によるプログラム実行処理により実現される。ここでは、制御部４０の概要のみを記載し、詳細は後記する「画像読取装置の動作」で説明する。なお、ここで言うプログラムは、ＯＳ(Operating System)プログラムやデバイスドライバがこれに相当する。
【００２６】
主制御部４１は、画像読取装置１を構成するスキャナ１０やＰＣ２０の動作全体を制御する。
画像入力処理部４２は、カメラ部１２で変換された電気信号(画像データ)を、ＰＣ２０の入力画像メモリ３１に転送する。
ドロップアウト処理部４３は、入力画像メモリ３１に格納される画像データの内、指定された特定色(ドロップアウトカラー)をドロップアウトする。
【００２７】
例えば、入力画像メモリ３１は、スキャンされた画像データがＲ，Ｇ，Ｂの色成分毎に記憶されている。これから、ドロップアウト処理部４３は、画像データの各画素の色度座標（ｒ，ｇ，ｂ）＝（Ｒ／（Ｒ＋Ｇ＋Ｂ），Ｇ／（Ｒ＋Ｇ＋Ｂ），Ｂ／（Ｒ＋Ｇ＋Ｂ））を得ることができる。なお、（ｒ，ｇ）あるいは、所定の座標変換を行った（ｘ、ｙ）を色度座標と云うことも多い。
【００２８】
ドロップアウト処理部４３は、入力画像メモリ３１に記憶された画像データの色度座標（ｒ，ｇ，ｂ）を画素毎に演算し、画像データから特定色を抽出する。例えば、赤の画素は、色度座標ｒ＝１であって、色度座標ｇ＝ｂ＝０の画素である。同様に、緑の画素は色度座標ｇ＝１であって、色度座標ｂ＝ｒ＝０の画素であり、青の画素は色度座標ｂ＝１であって、色度座標ｒ＝ｇ＝０の画素である。また、黒の画素は、ｒ＝ｇ＝ｂ＝０（Ｒ＝Ｇ＝Ｂ＝０）の画素である。ここで、帳票の地色（例えば、白）は、ｒ＝ｇ＝ｂ＝１／３（Ｒ＝Ｇ＝Ｂ）の画素であるので、閾値を１／２に設定すれば、赤、緑、青の画素をドロップアウトするときに白色（帳票の地色）の画素と区別される。そして、ドロップアウト処理部４３は、特定の画素(例えば、赤の画素)を除去する。
【００２９】
マーク検出部４４は、読取対象頁識別画像データ記憶部３２を参照し、ドロップアウト後の画像データの特定位置に読取対象頁であることを識別する特定形状(例えば、円形)の画像があるか否かを検出する。
複写有無判定部４５は、マーク検出部４４が特定形状(例えば、円形)の画像を検出しなかった場合に、原紙に複写紙が添付されている状態であると判定し、複写紙を除去した状態で原紙の再読取を実行すること(再読取指示)を表示部２２に表示させる。
文字認識部４６は、マーク検出部４４が画像を検出した場合に、画像データの文字認識を行う。
以上で、実施形態に係る画像読取装置１の構成についての説明を終了する。
【００３０】
≪実施形態に係る画像読取装置の動作≫
図３を参照して、実施形態に係る画像読取装置１の画像読取動作について説明する。図３は、実施形態に係る画像読取装置１の画像読取動作を示すシーケンス図である。
【００３１】
最初に、画像読取装置１は、「画像入力処理（ステップＳ１０）」を行う。具体的には、主制御部４１は、入力部２１を介してオペレータによる画像読取指示の入力を受け付ける。画像入力処理部４２は、画像読取指示の入力を受け付けると、カメラ部２１を制御してマット部１１に載置される帳票の画像データを取得し、取得した画像データを入力画像メモリ３１に格納する。
【００３２】
ここで、図４を参照し、実施形態に係る画像読取装置１が読み取ることを想定する帳票について説明する。図４は、実施形態に係る画像読取装置１で用いられる複写帳票を説明するための図であり、（ａ）は１枚目(原紙)の平面図、（ｂ）は２枚目(複写紙)の平面図、（ｃ）は１枚目(原紙)と２枚目(複写紙)とが重ねられた状態である複写帳票の平面図である。
【００３３】
図４（ａ）に示す原紙Ｔ１には、ドロップアウトカラー(例えば、赤色)の罫線６１が印刷されており、罫線６１内には文字認識対象となる文字６２が記入される。また、原紙Ｔ１には、右上隅部分に孔６３が形成されている。そのため、原紙Ｔ１がマット部１１に載置された状態では、孔６３を通してマット部１１が露出する。
【００３４】
図４（ｂ）に示す複写紙Ｔ２には、原紙Ｔ１の罫線６１とは異なる色で罫線７１が印刷されており、罫線７１内には原紙Ｔ１に記入された文字６２の複写文字７２が印字されている。なお、本実施形態では、複写紙が１枚の場合を想定しているが、複写紙は複数枚であってもよい。この例では、原紙Ｔ１と複写紙Ｔ２とでは、金額欄の有無以外は同様な帳票レイアウトになっており、それらの罫線は同じ位置に印刷されている。
【００３５】
図４（ｃ）に示す複写帳票Ｔ３は、原紙Ｔ１と複写紙Ｔ２とが重ねられた状態をいう。なお、図４（ｃ）では、原紙Ｔ１と複写紙Ｔ２とが重ねられた状態を示すために、位置をずらして記載しているが、実際は一致している。これにより、最初の状態では原紙Ｔ１の罫線と複写紙Ｔ２の罫線は重なっている。このため複写帳票Ｔ３には、複写紙Ｔ２の罫線７１が原紙Ｔ１の罫線６１に重なる形で浮き出てしまい、原紙Ｔ１の罫線６１の見た目の色が本来のドロップアウトカラーとは異なる色になっている。ここでは、後述のように不完全なドロップアウト結果になるような色になっているものとする。また、複写帳票Ｔ３がマット部１１に載置された状態では、原紙Ｔ１の孔６３を通して複写紙Ｔ２が露出するため、孔６３を通してマット部１１は露出しない。つまり、複写帳票Ｔ３においては、原紙Ｔ１の孔６３が、複写紙Ｔ２によりふさがれている。なお図では便宜上孔６３の位置を黒い線で示しているが、紙の色が同じであれば実際には孔のふちはほとんど写らない。
【００３６】
ここで、本実施形態では、図４（ａ）に示す原紙Ｔ１がスキャナ１０での読取対象である。つまり、原紙Ｔ１がマット部１１に載置された状態で画像が読み取られる。
一方、図４（ｃ）に示す複写帳票Ｔ３がマット部１１に載置された状態で画像を読み取る場合、原紙Ｔ１の画像を読み取ることには変わりないものの、原紙Ｔ１の罫線６１が複写紙Ｔ２によりドロップアウトできない。そのため、複写帳票Ｔ３は、スキャナ１０での読取対象として好ましくない。このため読み取りの前にオペレータに２枚目以降を取り去らせ、原紙Ｔ１のみにして画像を読み取るようにする。しかしながら、画像読取装置１のオペレータが間違って複写紙の除去を失念し、複写帳票Ｔ３の画像を読み取ってしまう場合が想定される。
【００３７】
続いて、ドロップアウト処理部４３は、入力画像メモリ３１に格納される画像データの内、指定された特定色(ドロップアウトカラーであり、例えば「赤色」)をドロップアウトする。ドロップアウト処理後の画像データを図５に示す。図５（ａ）は原紙Ｔ１を読み取った場合の画像データであり、図５（ｂ）は間違って複写帳票Ｔ３を読み取った場合の画像データである。
【００３８】
原紙Ｔ１を読み取った場合の画像データＤ１(図５（ａ）参照)は、罫線６１(図４（ａ）参照)がすべてドロップアウトされ、右上隅部分には孔６３の形状に形成され背景色であるマット部１１の黒色の画像８１が存在する。
【００３９】
一方、複写紙付きの帳票Ｔ３を読み取った場合の画像データＤ２(図５（ｂ）参照)は、罫線６１(図４（ａ）参照)を完全にドロップアウトすることができず、ノイズ９１が存在する。また、右上隅部分にはマット部１１の黒色の画像ではなく、孔６３の形状に形成され複写紙Ｔ２の地色の画像９２が存在する。なお、原紙Ｔ１と複写紙Ｔ２の地色が同じであれば、孔６３は映らない（画像上で検出できない）ものと考えることが出来る。
【００４０】
図３に戻り、画像読取動作の続きを説明する。
続いて、画像読取装置１は、「複写帳票検出処理（ステップＳ２０）」を行う。具体的には、マーク検出部４４は、ドロップアウト後の画像データＤ１や画像データＤ２の特定位置(例えば、右上隅部分)に読取対象頁(１枚目)であることを識別する特定形状の画像(例えば、黒色の円形)があるか否かを検出する。
【００４１】
マーク検出部４４は、原紙Ｔ１を読み取った場合の画像データＤ１(図５（ａ）参照)の場合に読取対象頁であることを識別する特定形状の画像を検出することが可能であり（図６（ａ）参照）、一方、帳票Ｔ３を読み取った場合の画像データＤ２(図５（ｂ）参照)の場合に読取対象頁であることを識別する特定形状の画像を検出することが不可能である（図６（ｂ）参照）。
【００４２】
続いて、画像読取装置１の複写有無判定部４５は、マーク検出部４４が読取対象頁であることを識別する特定形状の画像を検出したか否かを判定する（ステップＳ３０）。ここで、マーク検出部４４が読取対象頁であることを識別する特定形状の画像を検出できた場合は複写紙Ｔ２が添付されていないときであり、一方、特定形状の画像を検出できなかった場合は複写紙Ｔ２が添付されているときである。
あるいは、原紙Ｔ１と複写紙Ｔ２の地色が異なる場合を考慮し、特定形状の画像を検出しても、その色がマット部と異なる場合は複写紙Ｔ２が添付されていると判断するようにしてもよい。マット部の色の情報は予め登録してもよいが、同じ画像から帳票（白地）の領域を検出し、その外側の色を取得して得てもよい。
【００４３】
マーク検出部４４が読取対象頁であることを識別する特定形状の画像を検出した場合に処理はステップＳ４０に進み、画像を検出しなかった場合に処理はステップＳ５０に進む。
【００４４】
ステップＳ３０で“Ｙｅｓ”の場合に、画像読取装置１は、「文字認識処理」を行う（ステップＳ４０）。具体的には、文字認識部４６は、画像データＤ１(図５（ａ）参照)の文字認識を行い、認識結果を表示部２２に表示させる。そして、処理は終了する。
【００４５】
一方、ステップＳ３０で“Ｎｏ”の場合に、画像読取装置１は、「再読取指示処理」を行う（ステップＳ５０）。具体的には、複写有無判定部４５は、原紙Ｔ１に複写紙Ｔ２が添付されている状態であると判定し、複写紙Ｔ２を除去した状態で原紙Ｔ１の再読取を実行すること(再読取指示)を表示部２２に表示させる。例えば「複写紙を取り除いた上で、再度読み取りを行ってください」のように表示する。この場合、文字認識部４６は、画像データＤ２(図５（ｂ）参照)の文字認識を行わない。そして、処理は終了する。その後オペレータは複写紙を取り除いた上で同様の操作を行うことになる。あるいは、処理を終了せずに直接Ｓ１０に戻るようにしてもよい。
以上で、実施形態に係る画像読取装置１の動作についての説明を終了する。
【００４６】
以上のように、実施形態に係る画像読取装置１は、画像読取時に読取対象頁(例えば、原紙Ｔ１)に開けられた孔６３の検出を行うことにより、複写紙の有無を判定することができる。そのため、実施形態に係る画像読取装置１は、文字認識の誤読や読取不能の発生を防止することができる。
【００４７】
［変形例］
以上、本発明の実施形態について説明したが、本発明はこれに限定されるものではなく、その趣旨を変えない範囲で実施することができる。実施形態の変形例を以下に示す。
【００４８】
（複写紙の判定手段）
実施形態では、複写帳票Ｔ３の１枚目(原紙Ｔ１)に孔６３を開け、画像読取時に孔６３の検出を行うことによって複写紙Ｔ２の有無を判定していたが、これに限定されるものではない。例えば、複写帳票Ｔ３の２枚目(複写紙Ｔ２)を１枚目(原紙Ｔ１)よりもサイズを大きくし、記憶部３０にそれぞれの頁のサイズを格納しておき、画像読取時に帳票のサイズの判定を行うことによって複写紙Ｔ２の有無を判定するようにしてもよい。
【００４９】
また、実施形態では、複写帳票Ｔ３の１枚目(原紙Ｔ１)をスキャナ１０での読取対象としていたが、これに限定されるものではない。例えば、２枚目(複写紙Ｔ２)の複写文字７２が明瞭であるときや、１枚目(原紙)に文字認識をしたくない文字がドロップアウトカラー以外の色相で印刷されているときなどの場合では、複写紙Ｔ２を読取対象頁とすることも可能である。この場合、複写紙Ｔ２に孔を開け、孔が検出できれば読取対象頁の２枚目(複写紙Ｔ２)の画像を読み取っていると判定し、孔が検出できなければ読取対象頁でない頁(例えば、原紙Ｔ１)が添付されている複写帳票の画像を読み取っていると判定することが可能である。
【００５０】
（再表示指示）
実施形態では、複写紙Ｔ２があると判定された場合に、オペレータの再読取を促す指示を表示部２２に表示していたが、これに限定されるものではない。例えば、表示部２２に替えて、又は表示部２２と共にスピーカを備える構成にし、オペレータの再読取を促す指示を音声や警告音として出力する構成としてもよい。
【００５１】
（マット部）
実施形態では、マット部１１は、文字認識対象の文字色と同じ黒色を想定していたが、ドロップアウトカラー以外の色であれば、黒色に限定されるものではない。例えば、ドロップアウトカラーとして赤色を用いる場合には、緑色、青色等を用いることができる。
【００５２】
（画像読取装置）
実施形態では、画像読取装置１がスキャナ１０及びＰＣ２０を別途の装置として、それぞれの通信部１３、２３を用いてデータ通信可能に接続していたが、スキャナ１０及びＰＣ２０を同一装置内に構成することも可能である。
【００５３】
（帳票の種類）
実施形態では、１種類の複写帳票Ｔ３を想定して説明していたが、画像読取装置１が複数種類の複写帳票を読み取るようにすることも可能である。この場合、すべての複写帳票の読取対象頁の同一位置に孔を開けるようにしてもよいし、また、各々の複写帳票の読取対象頁のそれぞれ異なる位置や形状の孔を開けるようにしてもよい。後者の場合、各々の複写帳票を識別するための識別記号が複写帳票に印刷されており、この識別記号を文字認識して、孔が開いている複写帳票を特定するようにしてもよい。
【符号の説明】
【００５４】
１      画像読取装置
１０    スキャナ部
１１    マット部
１２    カメラ部
１３    通信部
２０    ＰＣ
２１    入力部
２２    表示部（出力部）
２３    通信部
３０    記憶部
３１    入力画像メモリ
３２    読取対象頁識別画像データ記憶部
４０    制御部
４１    主制御部
４２    画像入力処理部
４３    ドロップアウト処理部
４４    マーク検出部
４５    複写有無判定部
４６    文字認識部
Ｔ１    原紙
Ｔ２    複写紙
Ｔ３    複写帳票
Ｄ１，Ｄ２  画像データ
【図１】
2014038486.tif 000003
【図２】
2014038486.tif 000004
【図３】
2014038486.tif 000005
【図４】
2014038486.tif 000006
【図５】
2014038486.tif 000007
【図６】
2014038486.tif 000008